(57)【要約】【課題】主観評価実験を容易に実施すると共に、その評価データを容易に集計する。【解決手段】聴感実験ツール１４１は、記憶部１４を備えたクラウドサーバ１のＣＰＵ１１に、外部装置２から音をアップロードさせる工程、複数の聴感実験のうちいずれかを選択させる画面をＰＣ３やタブレット端末４に表示させる工程、選択された聴感実験をＰＣ３やタブレット端末４にて実施する工程、この聴感実験で得られた主観量を記憶部１４に格納する工程、聴感実験で得られた主観量をＰＣ３やタブレット端末４に表示させる工程を実行させるためのものである。【選択図】図１
2020101411.tif 000002
【特許請求の範囲】
【請求項１】
記憶部を備えたサーバに、
端末から音源をアップロードさせる工程、
複数の聴感実験のうちいずれかを選択させる画面を端末に表示させる工程、
選択された聴感実験を前記端末にて実施する工程、
前記聴感実験で得られた主観量を前記記憶部に格納する工程、
前記聴感実験で得られた主観量を端末に表示させる工程、
を実行させるための聴感実験ツール。
【請求項２】
前記聴感実験に用いた音源を解析した各物理量を前記端末に表示させる工程、
前記音源を解析して物理量を算出する工程、
前記聴感実験で得られた各主観量と前記聴感実験に用いた音源を解析した各物理量との相関係数を端末に表示させる工程、
を更に実行させるための請求項１に記載の聴感実験ツール。
【請求項３】
前記聴感実験に用いた音源を解析した物理量同士との相関係数を端末に表示させる工程、
を更に実行させるための請求項１または２に記載の聴感実験ツール。
【請求項４】
前記聴感実験に用いた音源ごとに、前記聴感実験で得られた複数の主観量を対比可能に端末に表示させる工程、
を更に実行させるための請求項１に記載の聴感実験ツール。
【請求項５】
前記聴感実験の各被験者の情報は、前記記憶部に格納されており、
各前記被験者のカテゴリーごとに、前記聴感実験で得られた主観量を対比可能に端末に表示させる工程、
を実行させるための請求項１に記載の聴感実験ツール。
【請求項６】
前記音源のカテゴリーごとに、前記聴感実験で得られた主観量を対比可能に端末に表示させる工程、
を実行させるための請求項１に記載の聴感実験ツール。
【請求項７】
前記複数の聴感実験のうちいずれかを選択させる画面を構成するＷｅｂページを前記端末に送信させる工程、
前記聴感実験を実行させる画面を構成するＷｅｂページを前記端末に送信させる工程、
前記主観量を表示させる画面を構成するＷｅｂページを前記端末に送信させる工程、
を実行させるための請求項１から６のうち何れか１項に記載の聴感実験ツール。
【請求項８】
前記聴感実験は、調整法、極限法、恒常法、マグニチュード推定（ＭＥ）法、評定尺度法、一対比較法、セマンティック・ディファレンシャル（ＳＤ）法、カテゴリー連続判断法、評価グリッド法、時系列音評価法のうちいずれかである、
ことを特徴とする請求項１から７のうち何れか１項に記載の聴感実験ツール。
【請求項９】
前記聴感実験は、前記端末上にて前記音源を鳴らさせたのち、音のボリュームを調整させる工程を含む、
ことを特徴とする請求項１から７のうち何れか１項に記載の聴感実験ツール。
【請求項１０】
前記聴感実験は、前記端末上にて前記音源を鳴らすボタンを含むオブジェクトを並び替え可能に表示させる工程を含む、
ことを特徴とする請求項１から７のうち何れか１項に記載の聴感実験ツール。
【請求項１１】
端末と通信する通信手段、
前記端末上の聴感実験で得られた主観量を前記通信手段により受信し、受信した前記主観量を記憶する記憶手段、
複数の聴感実験のうちいずれかを選択させる画面を前記通信手段により前記端末に表示させ、選択された聴感実験を前記端末にて実施させ、前記聴感実験で得られた主観量を前記通信手段により端末に表示させる制御手段
を備えることを特徴とする聴感実験サーバ。
【発明の詳細な説明】
【技術分野】
【０００１】
本発明は、聴感実験ツールおよび聴感実験サーバに関する。
【背景技術】
【０００２】
機器の動作音や振動音について、定量的な計測や解析に加えて、機器の品位を向上させるために、主観的な品質を決定することが行われている。主観的な品質は、機器の動作音や振動音を主観評価（官能評価）することで評価される。
特許文献１には、騒音、振動の定量並びに官能評価方法およびその装置に関する発明が記載されている。
【先行技術文献】
【特許文献】
【０００３】
【特許文献１】特開平０１−２６０３２７号公報
【発明の概要】
【発明が解決しようとする課題】
【０００４】
しかしながら、主観評価実験やその評価データの集計は手作業で行われ、よって多くの工数と時間が必要であり、煩雑であるという問題があった。
そこで、本発明は、聴感実験ツールおよび聴感実験サーバについて、主観評価実験を容易に実施すると共に、その評価データを容易に集計することを課題とする。
【課題を解決するための手段】
【０００５】
本発明の聴感実験ツールは、記憶部を備えたサーバに、端末から音源をアップロードさせる工程、複数の聴感実験のうちいずれかを選択させる画面を端末に表示させる工程、選択された聴感実験を前記端末にて実施する工程、前記聴感実験で得られた主観量を前記記憶部に格納する工程、前記聴感実験で得られた主観量を端末に表示させる工程を実行させる。
【０００６】
本発明の聴感実験サーバは、端末と通信する通信手段、前記端末上の聴感実験で得られた主観量を前記通信手段により受信し、受信した前記主観量を記憶する記憶手段、複数の聴感実験のうちいずれかを選択させる画面を前記通信手段により前記端末に表示させ、選択された聴感実験を前記端末にて実施させ、前記聴感実験で得られた主観量を前記通信手段により端末に表示させる制御手段を備えることを特徴とする。
その他の手段については、発明を実施するための形態のなかで説明する。
【発明の効果】
【０００７】
本発明によれば、聴感実験ツールおよび聴感実験サーバについて、主観評価実験を容易に実施すると共に、その評価データを容易に集計することが可能となる。
【図面の簡単な説明】
【０００８】
【図１】本実施形態における聴感実験システムの概略を示す構成図である。
【図２】タブレット端末の構成図である。
【図３】聴感実験ツールのモード遷移図である。
【図４】実験選択画面を示す図である。
【図５】実験説明画面を示す図である。
【図６】調整法による実験画面を示す図である。
【図７】極限法による実験画面を示す図である。
【図８】恒常法による実験画面を示す図である。
【図９】ＭＥ法による実験画面を示す図である。
【図１０】評定尺度法による実験画面を示す図である。
【図１１】一対比較法による実験画面を示す図である。
【図１２】ＳＤ法による実験画面を示す図である。
【図１３】ＳＤ法による実験結果画面を示す図である。
【図１４Ａ】カテゴリー連続判断法による実験画面を示す図である。
【図１４Ｂ】線分調整法による実験画面を示す図である。
【図１５】カテゴリー連続判断法による実験結果画面を示す図である。
【図１６】評価グリッド法による実験画面を示す図である。
【図１７】評価グリッド法による実験結果画面を示す図である。
【図１８】外部装置の構成図である。
【図１９】時系列音評価法の動作を示す概念図である。
【図２０Ａ】主観量−物理量、物理量−物理量および主観量−主観量の相関係数テーブルを生成する処理（その１）を示すフローチャートである。
【図２０Ｂ】主観量−物理量、物理量−物理量および主観量−主観量の相関係数テーブルを生成する処理（その２）を示すフローチャートである。
【図２１Ａ】主観量−物理量、物理量−物理量および主観量−主観量の相関係数テーブルを示す図である。
【図２１Ｂ】主観量−物理量、物理量−物理量および主観量−主観量の相関係数テーブルを示す図である。
【図２２】異なる諸元の被験者による主観量の相関係数テーブルを生成する処理を示すフローチャートである。
【図２３】異なる諸元の被験者による主観量の相関係数テーブルを示す図である。
【図２４】主観量同士の相関係数の別の見せ方を示す図である。
【図２５】主観量同士の相関係数の別の見せ方を、被験者ごとに表した図である。
【図２６】ＳＤ法による再現性確認データを示す図である。
【図２７】ＳＤ法による累積とヒストグラムを示す図である。
【図２８】ＳＤ法による評価語の平均と偏差とを示す図である。
【図２９】ＳＤ法による評価語の平均と偏差とが正規化された図である。
【図３０】ＳＤ法による実験結果の比較図である。
【図３１】ＳＤ法による実験結果を所定の諸元でフィルタリングしたものを示す図である。
【図３２】ＳＤ法による実験結果の所定の諸元でフィルタリングしたヒストグラムを折れ線グラフで示した図である。
【図３３】ＳＤ法による実験結果を被験者ごとに比較した図である。
【図３４】ＳＤ法による実験結果を音源ごとに比較した図である。
【図３５】ＳＤ法による実験結果を被験者ごとに音源ごとの重ね書きを行って比較した図である。
【図３６】ＳＤ法による実験結果を評価語ごとに被験者ごとの重ね書きを行って比較した図である。
【図３７】ＳＤ法による実験結果を主成分分析した図である。
【図３８】ＳＤ法による実験結果をクラスター分析した図である。
【発明を実施するための形態】
【０００９】
以降、本発明を実施するための形態を、各図を参照して詳細に説明する。
図１は、本実施形態における聴感実験システムの概略を示す構成図である。
聴感実験システムは、クラウドサーバ１がネットワークＮを介して外部装置２やＰＣ３やタブレット端末４などの端末と通信可能に接続されて構成される。クラウドサーバ１は、外部装置２やＰＣ３やタブレット端末４などにＷｅｂページを送信し、ユーザによるＷｅｂページの操作情報を受けて、各種動作を行う聴感実験サーバである。ここでいうユーザは、この聴感実験システムを管理する管理者、聴感実験システムを用いて聴感実験を行う実験者、この実験者の指示を受けて個々の主観評価実験を受ける被験者を含んでいる。管理者と実験者と被験者は、後記する図３に示すように、この聴感実験システムを使用するための権限がそれぞれ異なる。
【００１０】
外部装置２には、外付けのマイク５ａやヘッドフォン６ａが接続される。この外部装置２の構成は、後記する図１８で説明する。ＰＣ３には外付けのマイク５ｂやヘッドフォン６ｂが接続される。タブレット端末４には外付けのマイク５ｃやヘッドフォン６ｃが接続される。タブレット端末４の構成は、後記する図２で説明する。マイク５ａ〜５ｃやヘッドフォン６ａ〜６ｃは、高品質な音の入出力を可能とする。このように、聴感実験においては高品質な外付けのヘッドフォンやマイクの使用が推奨される。
なお、これに限られず、クラウドサーバ１は、いわゆるスマートフォンなどの端末に通信可能に接続されて動作してもよい。
【００１１】
クラウドサーバ１は、ＣＰＵ（Central Processing Unit）１１と、ＲＯＭ（Read Only Memory）１２と、ＲＡＭ（Random Access Memory）１３と、記憶部１４と、通信部１５とを備えるコンピュータである。記憶部１４は、例えばハードディスクであり、プログラムとしての聴感実験ツール１４１と、データとしての音源１４２、主観量１４３、物理量１４４、関係性情報１４５、および被験者情報１４６を格納する。
【００１２】
聴感実験ツール１４１は、各種聴感実験の実施から結果出力まで実施するツールであり、物理量解析を伴う評価を行う場合もある。聴感実験ツール１４１は、サーバサイドプログラムとして機能し、ＰＣ３やタブレット端末４からブラウザでアクセスすると、実験画面や結果画面をＰＣ３やタブレット端末４に表示させる。ＣＰＵ１１は、聴感実験ツール１４１をＲＡＭ１３に読み込んで実行することにより、各種機能を具現化する。
【００１３】
ＲＯＭ１２は不揮発性メモリであり、例えばＢＩＯＳ（Basic Input/Output System）などが格納される。ＲＡＭ１３は揮発性メモリであり、例えばＣＰＵ１１が聴感実験ツール１４１を読み込んだり、聴感実験ツール１４１を実行する際の作業領域として用いられる。通信部１５は、例えばＮＩＣ（Network Interface Card）であり、ネットワークＮを介して外部機器と通信する。
【００１４】
音源１４２は、主観評価の対象となる複数の音の情報である。主観量１４３には、音源１４２のうちいずれかを主観評価した結果である。物理量１４４は、音源１４２のうちいずれかのラウドネスやシャープネスや音量などである。関係性情報１４５は、主観量１４３同士の相互の関係性や、主観量１４３と物理量１４４との相互の関係性に係る情報である。被験者情報１４６は、主観評価の被験者の職種や年代や性別や国籍や生活地域などの諸元である。
実験結果である主観量１４３と、解析された物理量１４４、両者の関係である関係性情報１４５、被験者情報１４６などは、全てクラウドサーバ１上のデータベースとして記憶部１４に保存・管理される。これらデータベース自体も、ユーザの権限に応じて利用可能である。
【００１５】
外部装置２は、評価対象の音を収録して、その音の情報をクラウドサーバ１にアップロードする。クラウドサーバ１は、外部装置２がアップロードした音の情報を記憶部１４に格納する。
【００１６】
クラウドサーバ１は、複数の聴感実験のうちいずれかを選択させる画面をＰＣ３やタブレット端末４に表示させて、選択された聴感実験を実施させ、この聴感実験で得られた結果を主観量１４３として記憶部１４に格納する。クラウドサーバ１は、この聴感実験で得られた主観量１４３をＰＣ３やタブレット端末４に表示させる。
【００１７】
図２は、タブレット端末４の構成図である。
タブレット端末４は、ＣＰＵ４１と、ＲＯＭ４２と、ＲＡＭ４３と、メモリ４４とを備えるコンピュータである。タブレット端末４は更に、タッチパネルディスプレイ４５と、内蔵スピーカ４６と、内蔵マイク４７と、通信部４８と、インタフェース４９とを備える。メモリ４４には、ブラウザプログラム４４１が格納される。ＣＰＵ４１がブラウザプログラム４４１を実行することにより、Ｗｅｂページの閲覧／操作機能が具現化される。
【００１８】
タッチパネルディスプレイ４５は、例えば液晶ディスプレイや有機ＥＬ（Electro Luminescence）などに透明なタッチパネルが積層されて構成される。タッチパネルディスプレイ４５は、表示手段および操作手段として機能する。
内蔵スピーカ４６は、音源１４２を音に変換するものである。内蔵マイク４７は、音を、音源１４２に変換するものである。通信部４８は、例えばＮＩＣであり、ネットワークＮを介して外部機器と通信する。インタフェース４９は、入出力端子であり、例えば外部のマイク５ｃやヘッドフォン６ｃ（図１参照）などが接続される。
【００１９】
図３は、聴感実験ツール１４１のモード遷移図である。
ユーザが、タブレット端末４やＰＣ３でクラウドサーバ１にアクセスすることで、一連の聴感実験が開始する。
【００２０】
モードＭ１０は、タブレット端末４やＰＣ３が表紙を表示するモードである。ユーザが表紙の任意の場所をクリックすることで、聴感実験システムはモードＭ１１に遷移する。
モードＭ１１は、タブレット端末４やＰＣ３がログイン画面を表示するモードである。ユーザがアカウント情報を入力することで、聴感実験システムはモードＭ１２に遷移する。なお、このログイン画面には、ＩＤの新規登録のためのボタンが表示されている。このボタンをクリックすることで、ＩＤやパスワードや職種、生年月日、性別、国籍、生活地域など、ユーザの諸元を被験者情報１４６に登録することができる。ユーザが被験者として聴感実験を実施した際、その実験結果を被験者の諸元ごとに集計して比較することができる。
【００２１】
モードＭ１２は、タブレット端末４やＰＣ３が選択画面を表示するモードである。ユーザが実験選択ボタン（不図示）をクリックすることで、聴感実験システムはモードＭ１３に遷移する。このときのユーザは、聴感実験の被験者となる。また、ユーザが結果一覧ボタン（不図示）をクリックすることで、聴感実験システムはモードＭ１５に遷移する。ユーザが実験新規登録ボタン（不図示）をクリックすることで、聴感実験システムは、実験を新規登録するモードＭ１６に遷移する。このときのユーザは、聴感実験システムを用いて聴感実験を行う実験者、または、この聴感実験システムを管理する管理者である。なお、図３では、各モードの操作主体を各モードの下半分に記載している。
【００２２】
モードＭ１３は、タブレット端末４やＰＣ３が実験の選択画面を表示するモードである。ユーザである被験者が、何れかの実験を選択（クリック）することで、聴感実験システムはモードＭ１４に遷移する。
モードＭ１４は、タブレット端末４やＰＣ３にて、ユーザに選択された実験を実施するモードである。ユーザである被験者が一連の実験を終了すると、聴感実験システムはモードＭ１７に遷移する。
【００２３】
モードＭ１５は、タブレット端末４やＰＣ３が実験の結果一覧を表示するモードである。実験者または管理者であるユーザが、何れかの結果を選択（クリック）することで、聴感実験システムはモードＭ１７に遷移する。
モードＭ１７は、タブレット端末４やＰＣ３が実験結果を表示するモードである。実験者または管理者であるユーザが、画面の任意の場所をクリックすることで、聴感実験システムはモードＭ１８に遷移する。
【００２４】
モードＭ１８は、タブレット端末４やＰＣ３が結果表示の選択画面を表示するモードである。実験者または管理者であるユーザが、相関確認ボタンをクリックすることで、相関確認を表示するモードＭ１９に遷移し、実験結果詳細ボタンをクリックすることで、実験結果詳細を表示するモードＭ２０に遷移する。更にユーザが多変量解析ボタンをクリックすることで、多変量解析結果を表示するモードＭ２１に遷移する。
【００２５】
図４は、実験選択画面７０を示す図である。
この実験選択画面７０は、図３に示すモードＭ１３で示される画面であり、実験名と実験手法の組合せがそれぞれ表示されている。
選択肢７００は、実験名が「ドア閉め音Ａ」、実験手法が「ＳＤ法」である。これは、ドア閉め音Ａについて、ＳＤ（セマンティック・ディファレンシャル）法の聴感実験を実施することを示している。
【００２６】
選択肢７０１は、実験名が「走行音Ａ」、実験手法が「調整法」である。これは、走行音Ａについて、調整法の聴感実験を実施することを示している。
選択肢７０２は、実験名が「走行音Ａ」、実験手法が「極限法」である。これは、走行音Ａについて、極限法の聴感実験を実施することを示している。
【００２７】
選択肢７０３は、実験名が「ドア閉め音Ａ」、実験手法が「一対比較法」である。これは、ドア閉め音Ａについて、一対比較法の聴感実験を実施することを示している。
選択肢７０４は、実験名が「ドア閉め音Ｂ」、実験手法が「ＳＤ法」である。これは、ドア閉め音Ｂについて、ＳＤ法の聴感実験を実施することを示している。
【００２８】
選択肢７０５は、実験名が「ドアロック音Ｃ」、実験手法が「ＳＤ法」である。これは、ドアロック音Ｃについて、ＳＤ法の聴感実験を実施することを示している。
選択肢７０６は、実験名が「ドアロック音Ｃ」、実験手法が「一対比較法」である。これは、ドアロック音Ｃについて、一対比較法の聴感実験を実施することを示している。
ユーザ（被験者または実験者）は、受けたい実験に対応する選択肢をクリックする。ユーザが選択肢７００〜７０６のうち何れかを選択すると、選択された実験が開始され、実験中の画面に遷移する。
【００２９】
図５は、実験説明画面７１を示す図である。
実験説明画面７１は、図３に示すモードＭ１４で最初に共通して示される画面である。この実験説明画面７１のタイトルは「実験説明」であり、その下に「これから聴感実験を始めます。」が表示される。更に実験説明画面７１には、デモ再生ボタン７１１、練習開始ボタン７１２、本番開始ボタン７１３が表示されている。
【００３０】
デモ再生ボタン７１１は、デモ音源を再生するボタンである。
練習開始ボタン７１２は練習実験を開始するボタンであり、本番開始ボタン７１３は、本番実験を開始するボタンである。なお、練習実験は、本番よりも試行回数を減らすなど簡易的にした実験を練習として実施するものである。
【００３１】
図６は、調整法による実験画面を示す図である。
この調整法実験画面７２は、図４の実験選択画面７０で調整法の実験を選択し、図５の実験説明画面に遷移したのちに表示される画面である。調整法実験画面７２には、再生ボタン７２０、基準音スライダ７２１、評価音スライダ７２２、完了ボタン７２３が表示されている。更に再生ボタン７２０の下には、「基準音と同じ大きさに聞こえるように、評価音の大きさを調節してください。」のメッセージが表示される。この教示は一例であり、「同じ高さに聞こえるように、」など評価対象は様々であってもよく、図６に示した実施形態に限定されない。
【００３２】
再生ボタン７２０は、実験の対象である音源１４２のうち基準音と評価音を対にして再生するボタンである。
基準音スライダ７２１は、中央に固定されている。評価音スライダ７２２は、上端から下端まで任意の位置に設定可能であり、再生される評価音の音量などを調節するためのものである。
被験者は、再生ボタン７２０をクリックしたのち、評価音スライダ７２２を調整することを繰り返す。これにより、次に再生ボタン７２０をクリックしたとき、基準音はそのままで評価音の音量が変化する。被験者は、基準音と評価音とが同じ大きさに聞こえたとき、この調整法による実験を完了する。
完了ボタン７２３は、この調整法の聴感実験を完了するためのボタンである。これにより聴感実験システムは、図３のモードＭ１７の実験結果に遷移する。なお、各実験画面には、ひとつの試験が終了した後、次の音の試験に移る「次へ」ボタンが配置されている場合もある。これにより、モードＭ１７の実験結果に遷移することなく、また図３のモードＭ１２の選択画面に戻ることもなく、複数の試験を次々と行わせることができる。
【００３３】
図７は、極限法による実験画面を示す図である。
極限法とは、一定のステップで一定の方向に刺激を変化させながら、ステップごとに被験者の判断を求める実験手法である。例えば、極限法において、聴感実験システムは、３ｄＢずつ大きくなる音を順番に再生して被験者に判断結果を入力させる。
なお、極限法による実験画面は、図７に示した実施の形態に限定されない。
【００３４】
この極限法実験画面７３ａは、図４の実験選択画面７０で極限法の実験を選択し、図５の実験説明画面に遷移したのちに表示される画面である。極限法実験画面７３ａは、再生ボタン７３０、「大きい」ボタン７３１、「等しい」ボタン７３２、「小さい」ボタン７３３、完了ボタン７３４が表示されている。更に再生ボタン７３０と共に、「基準音と評価音を対にして再生します。基準音と比べて評価音はどの様に聞こえますか？」が表示される。
再生ボタン７３０は、実験の対象である音源１４２のうち基準音と評価音を対にして再生するボタンである。
「大きい」ボタン７３１、「等しい」ボタン７３２、「小さい」ボタン７３３は、被験者が基準音と比べて評価音がどのように聞こえたかの主観評価結果を入力するためのボタンである。この極限法実験画面７３ａにおいて、被験者が再生ボタン７３０をクリックすると、聴感実験システムは、所定の大きさの基準音を再生し、評価音を再生する。被験者は、これら基準音と評価音の主観評価結果を入力する。次に被験者が再生ボタン７３０をクリックすると、聴感実験システムは、前回と同じ大きさの基準音を再生し、前回よりも大きな評価音を再生する。被験者は、これら基準音と評価音の主観評価結果を入力する。これを繰り返すことで、極限法の実験が行われる。
【００３５】
完了ボタン７３４は、この極限法の聴感実験を完了するためのボタンである。これにより聴感実験システムは、図３のモードＭ１７の実験結果に遷移する。
【００３６】
図８は、恒常法による実験画面を示す図である。
恒常法は、極限法と異なり、刺激をランダムに呈示する方法である。恒常法において、システムは、３５ｄＢ→６０ｄＢ→４５ｄＢ…のように評価音をランダムに変化させる。
なお、恒常法による実験画面は、図８に示した実施の形態に限定されない。
【００３７】
この恒常法実験画面７３ｂは、図４の実験選択画面７０で恒常法の実験を選択し、図５の実験説明画面に遷移したのちに表示される画面である。恒常法実験画面７３ｂには、再生ボタン７３０、「大きい」ボタン７３１、「等しい」ボタン７３２、「小さい」ボタン７３３、完了ボタン７３４が表示されている。更に再生ボタン７３０の下には、「基準音と比べて評価音はどの様に聞こえますか？」のメッセージが表示されている。
再生ボタン７３０は、実験の対象である音源１４２のうち基準音と評価音を対にして１回だけ再生するボタンである。
「大きい」ボタン７３１、「等しい」ボタン７３２、「小さい」ボタン７３３は、被験者が基準音と比べて評価音がどのように聞こえたかの主観評価結果を入力するためのボタンである。この恒常法実験画面７３ｂにおいて、被験者が再生ボタン７３０をクリックすると、聴感実験システムは、所定の大きさの基準音を再生し、ランダムな大きさの評価音を１回だけ再生する。被験者は、これら基準音と評価音の主観評価結果を入力する。これにより、恒常法の実験が行われる。
【００３８】
完了ボタン７３４は、この恒常法の聴感実験を完了するためのボタンである。これにより聴感実験システムは、図３のモードＭ１７の実験結果に遷移する。
【００３９】
図９は、ＭＥ（マグニチュード推定）法による実験画面を示す図である。
ＭＥ法とは、基準刺激は明示されておらず、提示される音ごとに主観評価を行い、正の数で答えるものである。このＭＥ法実験画面７４は、図４の実験選択画面７０でＭＥ法の実験を選択し、図５の実験説明画面に遷移したのちに表示される画面である。このＭＥ法実験画面７４には、再生ボタン７４０、数値入力ボックス７４１、完了ボタン７４２が表示されている。
再生ボタン７４０は、実験の対象である音源１４２を再生するボタンである。再生ボタン７４０の下には、「様々な音をお聞かせします。音の大きさを反映すると思われる正の数を割り当てて下さい。」のメッセージが表示される。
数値入力ボックス７４１は、被験者が感じた感覚的な大きさを数詞で入力するものである。ここで被験者は、練習と本番とに応じて１から５までの数詞のいずれかを数値入力ボックス７４１に入力する。
完了ボタン７４２は、このＭＥ法の聴感実験を完了するためのボタンである。これにより聴感実験システムは、図３のモードＭ１７の実験結果に遷移する。
なお、ＭＥ法による実験画面は、図９に示した実施の形態に限定されない。
【００４０】
図１０は、評定尺度法による実験画面を示す図である。
評定尺度法とは、感覚的大きさを段階的なカテゴリーで評価する方法である。この評定尺度法実験画面７５は、図４の実験選択画面７０で評定尺度法の実験を選択し、図５の実験説明画面に遷移したのちに表示される画面である。評定尺度法実験画面７５には、再生ボタン７５０、カテゴリー選択７５１、完了ボタン７５２が表示されている。
再生ボタン７５０は、実験の対象である音源１４２を再生するボタンである。この再生ボタン７５０の下には、「様々な音をお聞かせします。音の大きさの印象を下記に示す5つのカテゴリーで判断して下さい。」のメッセージが表示される。
カテゴリー選択７５１は、被験者が感じた感覚的大きさを段階的なカテゴリーとして入力するものである。評定尺度法実験画面７５において被験者は、練習と本番とに応じて、＋２，＋１，０，−１，−２の５段階で評価した結果を入力する。
完了ボタン７５２は、この評定尺度法の聴感実験を完了するためのボタンである。これにより聴感実験システムは、図３のモードＭ１７の実験結果に遷移する。
なお、評定尺度法による実験画面は、図１０に示した実施の形態に限定されない。
【００４１】
図１１は、一対比較法による実験画面を示す図である。
この一対比較法実験画面７６は、図４の実験選択画面７０で一対比較法の実験を選択し、図５の実験説明画面に遷移したのちに表示される画面である。一対比較法実験画面７６には、再生ボタン７６０、「かなり」ボタン７６１、「やや」ボタン７６２、「どちらとも」ボタン７６３、「やや」ボタン７６４、「かなり」ボタン７６５、完了ボタン７６６が表示されている。
再生ボタン７６０は、実験の対象である一対の音源１４２を再生するボタンである。この再生ボタン７６０に続いて、「２つの音を対にしてお聞かせします。前の音と比べて後の音がどの程度強いか、あるいは弱いかを判断して下さい。」のメッセージが表示される。
「かなり」ボタン７６１、「やや」ボタン７６２、「どちらとも」ボタン７６３、「やや」ボタン７６４、「かなり」ボタン７６５は、被験者が前の音と比べて後の音について感じた度合いを択一的に入力するボタンである。
完了ボタン７６６は、この評定尺度法の聴感実験を完了するためのボタンである。これにより聴感実験システムは、図３のモードＭ１７の実験結果に遷移する。
なお、一対比較法による実験画面は、図１１に示した実施の形態に限定されない。
【００４２】
図１２は、ＳＤ法による実験画面を示す図である。
このＳＤ法実験画面７７は、図４の実験選択画面７０でＳＤ法の実験を選択し、図５の実験説明画面に遷移したのちに表示される画面である。ＳＤ法実験画面７７には、再生ボタン７７０、ラジオボタン７７１〜７７５、「次へ」ボタン７７６が表示されている。
【００４３】
再生ボタン７７０は、実験の対象である音源１４２を再生するボタンである。再生ボタン７７０に続いて、「この音はどのように感じますか」のメッセージが表示される。
ラジオボタン７７１は、「力強い」から「弱々しい」までを７段階に区分した主観評価を入力するものである。これら７段階の区分は、「非常に」、「かなり」、「やや」、「どちらとも」、「やや」、「かなり」、「非常に」であり、その両端には、対義語が記載されている。
【００４４】
ラジオボタン７７２は、「やかましい」から「静かな」までを７段階に区分した主観評価を入力するものである。
ラジオボタン７７３は、「忙しい」から「のんびりした」までを７段階に区分した主観評価を入力するものである。
【００４５】
ラジオボタン７７４は、「かたい」から「やわらかい」までを７段階に区分した主観評価を入力するものである。
ラジオボタン７７５は、「鋭い」から「鈍い」までを７段階に区分した主観評価を入力するものである。
「次へ」ボタン７７６は、図１３に示す実験結果画面８７に遷移するボタンである。
なお、ＳＤ法による実験画面は、図１２に示した実施の形態に限定されない。
【００４６】
図１３は、ＳＤ法による実験結果画面を示す図である。
実験結果画面８７には、主観量表示８７１、主観量選択８７２、「参考：データ比較」ボタン８７３、「参考：全データ」ボタン８７４が表示されている。
【００４７】
主観量表示８７１には、「力強い」と「弱々しい」、「やかましい」と「静かな」、「忙しい」と「のんびりした」、「かたい」と「やわらかい」、「鋭い」と「鈍い」の５組の対義語についての評価結果が表示されている。円形は、全員の評価結果頻度を示しており、折れ線はログインしている被験者の評価結果を示している。これにより、実験者や管理者は、被験者個人の評価を全員の主観評価の平均と比較することができる。
【００４８】
主観量選択８７２は、主観量表示８７１に表示される項目を選択するスイッチである。
「参考：データ比較」ボタン８７３は、ログインしている個人の評価データと全員の評価データの平均値を比較するためのボタンである。
「参考：全データ」ボタン８７４は、全員の評価データの平均値を表示するためのボタンである。
【００４９】
図１４Ａは、カテゴリー連続判断法による実験画面を示す図である。
このカテゴリー連続判断法実験画面７８は、図４の実験選択画面７０でカテゴリー連続判断法の実験を選択し、図５の実験説明画面に遷移したのちに表示される画面である。カテゴリー連続判断法実験画面７８には、再生ボタン７８０、「非常に大きい」ボタン７８１、「大きい」ボタン７８２、「やや大きい」ボタン７８３、「どちらでもない」ボタン７８４、「やや小さい」ボタン７８５、「小さい」ボタン７８６、「非常に小さい」ボタン７８７、完了ボタン７８８が表示されている。
【００５０】
再生ボタン７８０は、実験の対象である音源１４２を再生するボタンである。
「非常に大きい」ボタン７８１、「大きい」ボタン７８２、「やや大きい」ボタン７８３、「どちらでもない」ボタン７８４、「やや小さい」ボタン７８５、「小さい」ボタン７８６、「非常に小さい」ボタン７８７は、は、被験者が再生中の音について感じた度合いを、リアルタイムかつ択一的に順次入力するボタンである。ここでは、被験者により「やや小さい」ボタン７８５がクリックされている。
完了ボタン７８８は、このカテゴリー連続判断法の聴感実験を完了するためのボタンである。これにより聴感実験システムは、図１５の実験結果画面８８に遷移する。
なお、カテゴリー連続判断法による実験画面は、図１４Ａに示した実施の形態に限定されない。
【００５１】
図１４Ｂは、線分調整法による実験画面を示す図である。
この線分調整法実験画面７８Ａは、図４の実験選択画面７０で線分調整法の実験を選択し、図５の実験説明画面に遷移したのちに表示される画面である。線分調整法実験画面７８Ａには、「長く」ボタン７８１Ａ、「短く」ボタン７８２Ａ、完了ボタン７８８Ａ、線分７８９が表示されている。
【００５２】
被験者は、再生中の音について感じた度合いに応じてリアルタイムに線分７８９の長さを調整する。被験者が「長く」ボタン７８１Ａをクリックすると、線分７８９が長くなる。被験者が「短く」ボタン７８２Ａをクリックすると、線分７８９が短くなる。
【００５３】
完了ボタン７８８Ａは、この線分調整法の聴感実験を完了するためのボタンである。これにより聴感実験システムは、図１５の実験結果画面８８に遷移する。
なお、線分調整法による実験画面は、図１４Ｂに示した実施の形態に限定されない。
【００５４】
図１５は、カテゴリー連続判断法、または、線分調整法による実験結果画面を示す図である。
実験結果画面８８には、時系列グラフ８８１、音圧レベルスイッチ８８２、カテゴリー値スイッチ８８３が表示されている。
時系列グラフ８８１には、音圧レベルが折れ線で表示され、主観評価されたカテゴリー値が階段状に表示されている。これにより、実験者や管理者は、物理量である音圧レベルと主観評価結果のカテゴリー値との対応関係を知ることができる。
【００５５】
音圧レベルスイッチ８８２は、物理量である音圧レベルを時系列グラフ８８１に表示させるためのスイッチである。
カテゴリー値スイッチ８８３は、主観評価結果のカテゴリー値を時系列グラフ８８１に表示させるためのスイッチである。
なお、実験結果画面に表示するのは音圧レベルに限られず、ラウドネスレベルやラウドネスを表示してもよい。
【００５６】
図１６は、評価グリッド法による実験画面を示す図である。
この評価グリッド法実験画面７９は、図４の実験選択画面７０で評価グリッド法の実験を選択し、図５の実験説明画面に遷移したのちに表示される画面である。評価グリッド法実験画面７９には、領域７９１、カード７９２、「次へ」ボタン７９９が表示されている。
領域７９１は、カード７９２を配置するための画面領域であり、左端に「好き」が表示され、右端に「嫌い」が表示されている。
カード７９２は、評価対象の音源１４２に対応しており、領域７９１のいずれかに配置されており、更にこの領域７９１のうち任意の位置にドラッグ可能である。カード７９２上には、対応する音源１４２を示す文字と、対応する音源１４２を再生するための音再生マーク７９３とが配置されている。被験者がこのカード７９２の音再生マーク７９３をクリックすると、カード７９２に対応した音源１４２が再生される。被験者は、再生された音源１４２の主観評価結果が「好き」から「嫌い」までのうち、どのような位置が相応しいかを判断して、カード７９２をドラッグする。
「次へ」ボタン７９９は、この評価グリッド法の現在の実験を完了して、次の質問を行うためのものである。次の質問において、聴感実験システムは「好き」、「嫌い」以外の対義語を用いて、各音源１４２の主観評価を行わせる。これら様々な評価語による主観評価を通して、図１７に示すような実験結果を得ることができる。
なお、評価グリッド法による実験画面は、図１６に示した実施の形態に限定されない。
【００５７】
図１７は、評価グリッド法による実験結果画面を示す図である。
実験結果画面８９には、上位概念８９１、中位概念８９２、下位概念８９３が表示されている。
上位概念８９１には、「安っぽい」、「嫌い」、「高級感」、「好き」、「密閉された」、「好き嫌い判定できない」の各項目が配置されている。
【００５８】
中位概念８９２には、「ペラペラ」、「しゃきっと閉まらない」、「継続時間短い」、「低音が響く」、「ドアとして異常」の各項目が配置されている。このうち、「ペラペラ」と「しゃきっと閉まらない」には、上位概念８９１の「安っぽい」、「嫌い」が関連付けられている。「継続時間短い」には、上位概念８９１の「高級感」と「密閉された」が関連付けられている。「低音が響く」、には、上位概念８９１の「高級感」と「好き」が関連付けられている。「ドアとして異常」には、上位概念８９１の「好き嫌い判定できない」が関連付けられている。
【００５９】
下位概念８９３には、「減衰時間長い」、「響くような音」、「減衰時間短い」、「閉まっていない」の各項目が配置されている。このうち、「減衰時間長い」には、中位概念８９２の「ペラペラ」と「継続時間短い」が関連付けられている。「響くような音」、には、中位概念８９２の「ペラペラ」が関連付けられている。「減衰時間短い」には、中位概念８９２の「低音が響く」が関連付けられている。「閉まっていない」には、中位概念８９２の「ドアとして異常」が関連付けられている。
【００６０】
図１８は、外部装置２の構成図である。
外部装置２は、現場で音や振動を収録する計測装置であり、ＣＰＵ２１と、ＲＯＭ２２と、ＲＡＭ２３と、メモリ２４と、入力部２５と、インタフェース２６と、通信部２７を備えるコンピュータである。入力部２５は、例えば操作ボタンなどである。外部装置２のインタフェース２６には、マイク５ａが接続される。メモリ２４には、計測プログラム（不図示）や、データとしての音源（不図示）や、ユーザ（実験者や被験者）が収録時に感じたことなどの記録情報（不図示）が格納される。なお、この記録情報は、入力部２５を介してテキスト等で入力され、音源と共にクラウドサーバ１にアップロードされ、例えば聴感実験における音の再生と同期して画面上に表示される。
なお、記録情報は、インタフェース２６に接続された第２のマイクを介して音声で収録されてもよい。この場合、記録情報は音源と共にクラウドサーバ１にアップロードされ、例えば聴感実験における音の再生に同期して、別のオーディオチャンネルとして再生される。
【００６１】
つまり、外部装置２は、レベルレコーダのように現場で音や振動の時系列データを収録しつつ、感じたことなどを記録する。外部装置２は更に、通信部２７により、収録した音源をクラウドサーバ１にアップロードする。アップロードされた音源は、クラウドサーバ１の記憶部１４に音源１４２として格納される。
なお、外部装置２による収録に限られず、ＰＣ３やタブレット端末４や、スマートフォンなどにマイク５ｂ，５ｃなどを接続して、音や振動の時系列データを収録してもよい。また、内蔵マイク４７で音を収録してもよく、限定されない。
【００６２】
図１９は、時系列音評価法の動作を示す概念図である。
グラフは、音圧レベルと時間との関係を示している。グラフの下側には感じたことの記録情報が示されており、「乗り心地良い」や「ここで異音」などが音源と共に収録されている。これによりユーザ（実験者や被験者）は、評価対象の音源１４２の素性を知ることができる。
【００６３】
図２０Ａと図２０Ｂは、主観量−物理量、物理量−物理量および主観量−主観量の相関係数テーブルを生成する処理を示すフローチャートである。図２０Ａと図２０Ｂに示す処理は、図３のモードＭ１９の相関確認にて実行される。
ステップＳ１０〜Ｓ１９において、ＣＰＵ１１は、主観量の各項目について繰り返す。この繰り返しは、図２１Ａに示す相関係数テーブル９１Ａの列方向の各項目に相当する。
次にステップＳ１１〜Ｓ１４において、ＣＰＵ１１は、物理量の各項目について繰り返す。この繰り返しは、図２１Ａに示す相関係数テーブル９１Ａの行方向の下側の各項目に相当する。
【００６４】
ＣＰＵ１１は、この主観量と物理量との相関係数を算出し（Ｓ１２）、相関係数に応じた色分け（濃度）表示を行う（Ｓ１３）。そしてＣＰＵ１１は、処理していない物理量の項目があれば、ステップＳ１１に戻る（Ｓ１４）。ＣＰＵ１１は、物理量の各項目について繰り返したならば、ステップＳ１５の処理に進む。
【００６５】
ステップＳ１５〜Ｓ１８において、ＣＰＵ１１は、主観量の各項目について繰り返す。この繰り返しは、図２１Ａに示す相関係数テーブル９１Ａの行方向の上側の各項目に相当する。
ＣＰＵ１１は、列方向と行方向の主観量同士の相関係数を算出し（Ｓ１６）、相関係数に応じた色分け（濃度）表示を行う（Ｓ１７）。そしてＣＰＵ１１は、処理していない行方向の主観量の項目があれば、ステップＳ１５に戻る（Ｓ１８）。ＣＰＵ１１は、行方向の主観量の各項目について繰り返したならば、ステップＳ１９の処理に進む。
【００６６】
ステップＳ１９において、ＣＰＵ１１は、処理していない列方向の主観量の項目があれば、ステップＳ１０に戻る。ＣＰＵ１１は、列方向の主観量の各項目について繰り返したならば、図２０ＢのステップＳ２０の処理に進む。
ステップＳ２０〜Ｓ２５において、ＣＰＵ１１は、物理量の各項目について繰り返す。この繰り返しは、図２１Ｂに示す相関係数テーブル９１Ｂの列方向の各項目に相当する。
次にステップＳ２１〜Ｓ２４において、ＣＰＵ１１は、物理量の各項目について繰り返す。この繰り返しは、図２１Ｂに示す相関係数テーブル９１Ｂの行方向の下側の各項目に相当する。
ＣＰＵ１１は、この物理量（列）と物理量（行）との相関係数を算出し（Ｓ２２）、相関係数に応じた色分け（濃度）表示を行う（Ｓ２３）。そしてＣＰＵ１１は、処理していない物理量の項目があれば、ステップＳ２１に戻る（Ｓ２４）。ＣＰＵ１１は、物理量の各項目について繰り返したならば、ステップＳ２５の処理に進む。
ステップＳ２５において、ＣＰＵ１１は、処理していない列方向の物理量の項目があれば、ステップＳ２０に戻る。ＣＰＵ１１は、列方向の物理量の各項目について繰り返したならば、図２０Ｂの処理を終了する。
【００６７】
図２１Ａは、主観量−物理量、物理量−物理量および主観量−主観量の相関係数テーブル９１Ａを示す図である。図２１Ａに示す相関係数テーブル９１Ａは、図３のモードＭ１９の相関確認にて表示される。
相関係数テーブル９１Ａの行には、上側に主観量の各指標が記載され、その下側には物理量の各指標が記載されている。相関係数テーブル９１Ａの列には、行と同様な項目が記載されているが、ここでは最初の４項目だけを図示している。
【００６８】
主観量の各指標には、「力強い」、「静かな」、「のんびりした」、「やわらかい」、「高級な」、「鋭い」、「はっきりした」、「統一な」、「重厚な」、「上品な」がある。定常音ラウドネスの物理量の指標には、「ラウドネス」、「ラウドネスレベル」、「シャープネス」がある。非定常音ラウドネスの物理量の指標には、「ラウドネス」、「ラウドネス（５％）」、「ラウドネス（１０％）」、「ラウドネスレベル」、「シャープネス」、「ラフネス」、「変動強度」がある。
なお、ここで記載した主観量や物理量の指標は一例であり、これらに限定されない。
【００６９】
相関係数テーブル９１Ａの上側のセルには、主観量と主観量との相関係数が数字で示されている。これにより、実験者や管理者は、各主観量同士の相関関係を容易に知ることができる。
相関係数テーブル９１Ａの下側のセルには、主観量と物理量との相関係数が数字で示されている。これにより、実験者や管理者は、主観量と物理量との相関関係を容易に知ることができる。
更に相関係数テーブル９１Ａのセルの背景は、相関係数の数字に応じた色（濃度）で表示されるが、ここでは図示を省略している。
図２１Ｂは、主観量−物理量、物理量−物理量および主観量−主観量の相関係数テーブルを示す図である。この図２１Ｂの相関係数テーブル９１Ｂは、図２１Ａに示した相関係数テーブル９１Ａよりも右側の列（不図示）に相当する。
相関係数テーブル９１Ｂの下側の各行には、物理量と物理量との相関係数が数字で示されている。これにより、実験者や管理者は、物理量と物理量との相関関係を容易に知ることができる。
更に相関係数テーブル９１Ｂのセルの背景は、相関係数の数字に応じた色（濃度）で表示されるが、ここでは図示を省略している。
【００７０】
図２２は、異なる諸元の被験者による主観量の相関係数テーブルを生成する処理を示すフローチャートである。図２２に示す処理は、図３のモードＭ１９の相関確認にて実行される。
ステップＳ３０〜Ｓ３９において、ＣＰＵ１１は、２０代の被験者の主観量の各項目について繰り返す。この繰り返しは、図２３に示す相関係数テーブル９２の列方向の各項目に相当する。
次にステップＳ３１〜Ｓ３４において、ＣＰＵ１１は、２０代の被験者の主観量の各項目について繰り返す。この繰り返しは、図２３に示す相関係数テーブル９２の行方向の上側の各項目に相当する。
【００７１】
ＣＰＵ１１は、２０代の被験者の主観量同士の相関係数を算出し（Ｓ３２）、相関係数に応じた色分け（濃度）表示を行う（Ｓ３３）。そしてＣＰＵ１１は、処理していない主観量の項目があれば、ステップＳ３１に戻る（Ｓ３４）。ＣＰＵ１１は、主観量の各項目について繰り返したならば、ステップＳ３５の処理に進む。
【００７２】
ステップＳ３５〜Ｓ３８において、ＣＰＵ１１は、４０代の被験者の主観量の各項目について繰り返す。この繰り返しは、図２３に示す相関係数テーブル９２の行方向の下側の各項目に相当する。
ＣＰＵ１１は、２０代の被験者の主観量と４０代の被験者の主観量の相関係数を算出し（Ｓ３６）、相関係数に応じた色分け（濃度）表示を行う（Ｓ３７）。そしてＣＰＵ１１は、処理していない行方向の主観量の項目があれば、ステップＳ３５に戻る（Ｓ３８）。ＣＰＵ１１は、４０代の被験者の主観量（行方向）の各項目について繰り返したならば、ステップＳ３９の処理に進む。
【００７３】
ステップＳ３９において、ＣＰＵ１１は、処理していない列方向の主観量の項目があれば、ステップＳ３０に戻る。ＣＰＵ１１は、列方向の主観量の各項目について繰り返したならば、図２２の処理を終了する。
【００７４】
図２３は、異なる諸元の被験者による主観量の相関係数テーブルを示す図である。図２３に示す相関係数テーブルは、図３のモードＭ１９の相関確認にて表示される。
相関係数テーブル９２の行には、上側に２０代の被験者による主観量の各指標が記載され、その下側には４０代の被験者による主観量の各指標が記載されている。主観量の各指標は、図２１Ａと同様の項目である。相関係数テーブル９２の列には、行と同様な項目が記載されている。
【００７５】
相関係数テーブル９２の上側かつ左側のセルには、２０代の被験者の主観量同士の相関係数が数字で示される。これにより、実験者や管理者は、２０代の被験者の主観量同士の相関関係を容易に知ることができる。これよりも右側のセル（不図示）には、４０代の被験者の主観量と、２０代の被験者の主観量との相関係数が数字で示される。これにより、実験者や管理者は、異なる諸元の被験者間の主観量の相関関係を容易に知ることができる。
相関係数テーブル９２の下側かつ左側のセル（不図示）には、２０代の被験者の主観量と、４０代の被験者の主観量との相関係数が数字で示される。これにより、実験者や管理者は、異なる諸元の被験者間の主観量の相関関係を容易に知ることができる。
更に相関係数テーブル９２のセルの背景は、相関係数の数字に応じた色（濃度）で表示されるが、ここでは図示を省略している。
【００７６】
図２４は、主観量同士の相関係数の別の見せ方を示す図である。図２４に示すグラフ８１は、図３のモードＭ１９の相関確認にて表示される。
図２４のグラフ８１は、相関係数行列を多角形に表示したものである。これにより、図２３に示す相関係数テーブル９２よりも直感的に相関係数を把握することができる。ここでは多角形（例えば、１０角形）の頂点に評価語を配置し、評価語同士の相関係数の絶対値に応じた太さ、かつ相関係数の正負に応じた色の線を評価語間に描いている。相関係数テーブルは、評価語同士の相関係数が正の場合には青色の線で描かれ、評価語同士の相関係数が負の場合には赤色の線で描かれる。なお、相関係数の正負と線の色との対応は一例であり、青と赤以外の色で描いてもよい。
ここでは、「上品な」、「力強い」、「静かな」、「のんびりした」、「やわらかい」、「高級な」、「鋭い」、「はっきりした」、「統一な」、「重厚な」の１０個の評価語を各頂点に配置している。更に「統一な」と「重厚な」の両頂点、「統一な」と「力強い」の両頂点、「重厚な」と「のんびりした」の両頂点、「のんびりした」と「上品な」の両頂点に太線を描いて、これら主観量間の相関係数の絶対値が高いことを示している。各頂点を結ぶ線は、すべて青色である。これによっても、主観量同士の項目の相関係数を実験者に見せることができる。多角形の各頂点は、対になる評価個のうち相関係数が正の方が記載されていてもよく、実験者が自由に設定できてもよく、限定されない。
【００７７】
図２５は、主観量同士の相関係数の別の見せ方を、被験者ごとに表した図である。図２５に示すグラフ８１Ｌ，８１Ｒは、図３のモードＭ１９の相関確認にて表示される。
グラフ８１Ｌは、頂点間を結ぶ線の太さによって、被験者１が各評価語を評価した主観量の相関係数を示している。グラフ８１Ｒは、頂点間を結ぶ線の太さによって、被験者２が各評価語を評価した主観量の相関係数を示している。このように、被験者ごとに各評価語を評価した主観量同士の相関係数を並べて表示することで、実験者や管理者は、評価語を評価した主観量の相関係数の被験者による違いを容易に知ることができる。
【００７８】
図２６は、ＳＤ法による再現性確認データを示す図である。
再現性確認データ９３は、再現性確認データ９３１，９３２の２つのグラフからなる。上側の再現性確認データ９３１は、被験者１のＳＤ法の結果を示している。下側の再現性確認データ９３２は、被験者２のＳＤ法の結果を示している。再現性確認データ９３１，９３２の縦軸は、主観量を示している。再現性確認データ９３１，９３２の横軸は、実験順番を示している。
再現性確認データ９３１，９３２が上下に変動していないとき、被験者が評価した主観量は実験ごとに変化しておらず、再現性があることを示している。再現性確認データ９３１，９３２が上下に変動しているとき、被験者が評価した主観量は実験ごとに変化しており、再現性が乏しいことを示している。これにより実験者や管理者は、再現性が低い主観評価結果を判定できる。また実験者や管理者は、聴感実験に改善が必要であることを容易に把握できる。
【００７９】
図２７は、ＳＤ法による累積とヒストグラムを示す図である。図２７に示す累積とヒストグラムは、図３のモードＭ２０の実験結果詳細にて表示される。
ここでは、被験者全員の全試行回数の累積とヒストグラムを、結果のまとまりが分かる評価語ごとに作成している。
累積・ヒストグラム９４１は、累積・ヒストグラム９４１Ｌ，９４１Ｒの２つのグラフからなる。累積・ヒストグラム９４１Ｌ，９４１Ｒの横軸は、主観量の区間を示している。累積・ヒストグラム９４１Ｌ，９４１Ｒの折れ線グラフの縦軸は、左端の区間から現在の区間までの累積を示しており、上端は１００％である。累積・ヒストグラム９４１Ｌ，９４１Ｒの棒グラフの縦軸は、現在の区間に含まれる主観量の度数を示している。
累積・ヒストグラム９４１Ｌは、評価語１の累積とヒストグラムである。累積・ヒストグラム９４１Ｌは、評価語２の累積とヒストグラムである。このように、異なる評価語の累積とヒストグラム９４１Ｌ，９４１Ｒを並べて表示することで、実験者や管理者は、各評価語の主観評価結果の度数分布の違いを容易に知ることができる。
【００８０】
図２８は、ＳＤ法による評価語の平均と偏差とを示す図である。図２８に示す評価語の平均と偏差は、図３のモードＭ２０の実験結果詳細にて表示される。
平均・標準偏差９４２は、各折れ線によって各音源の主観評価の結果を示している。グラフの横軸は、各評価語である。グラフの縦軸は、その評価語に関する主観量である。グラフの各線種は、各音源の評価を示している。各音源の評価を重ね書きすることで、実験者や管理者は、全評価語の平均と偏差とを確認することができる。
【００８１】
図２９は、ＳＤ法による評価語の平均と偏差とが正規化された図である。図２９に示す評価語の平均と偏差とが正規化されたグラフは、図３のモードＭ２０の実験結果詳細にて表示される。
平均・標準偏差９４３は、平均・標準偏差９４２の値の最大と最小を、表示するグラフの最大（＋３）と最小（−３）に割り当て直すようにして正規化したグラフである。これにより、主観評価の偏りを打ち消すことができる。
【００８２】
図３０は、ＳＤ法による実験結果の比較図である。図３０に示すＳＤ法による実験結果の比較は、図３のモードＭ２０の実験結果詳細にて表示される。
実験結果比較９４４のグラフは、縦軸が評価語であり、横軸が主観量である。白点のグラフは、製品Ｌに関する改造前の音の主観評価を示している。黒点のグラフは、同じ製品Ｌに関する改造後の音の主観評価を示している。図３０は、製品Ｌに関する改造前の音と、改造後の音の主観評価を比較可能に表示している。これにより、実験者や管理者は、改造による主観量の変化を容易に把握することができる。
【００８３】
図３１は、ＳＤ法による実験結果を所定の諸元でフィルタリングしたものを示す図である。図３１に示すＳＤ法による実験結果を所定の諸元でフィルタリングしたグラフは、図３のモードＭ２０の実験結果詳細にて表示される。
主観評価結果９４５は、各折れ線によって各諸元でフィルタリングした結果を示している。主観評価結果９４５のグラフの縦軸は主観量であり、グラフの横軸は各評価語である。なお、主観評価結果９４５では、各評価語の標記を省略している。ここで所定の諸元とは、例えば被験者の職種、年代、性別、国籍、生活地域や、評価語、音源などである。ここでは一部の音源に係る主観評価のみをピックアップしている。これにより実験者や管理者は、各諸元の主観評価の相違を容易に把握することができる。
【００８４】
図３２は、ＳＤ法による実験結果を所定の諸元でフィルタリングしたヒストグラムを折れ線グラフで示した図である。図３２に示すヒストグラムは、図３のモードＭ２０の実験結果詳細にて表示される。
【００８５】
ヒストグラム９４６は、「安っぽい」と「高級な」の対義語に関する評価結果のヒストグラムである。ヒストグラム９４６のグラフの横軸は主観量を示しており、−３のときに最も安っぽく評価され、＋３のときに最も高級として評価されている。グラフの縦軸は、各主観評価に対する頻度を示している。
凡例Ａで示された線は、音源Ａの主観評価のヒストグラムを示している。同様に、凡例Ｂで示された線は、音源Ｂの主観評価のヒストグラムを示している。凡例Ｃで示された線は、音源Ｃの主観評価のヒストグラムを示している。これにより実験者や管理者は、各評価語における、音源での主観評価の相違を容易に把握することができる。
【００８６】
図３３は、ＳＤ法による実験結果を被験者ごとに比較した図である。図３３に示すＳＤ法による実験結果は、図３のモードＭ２０の実験結果詳細にて表示される。
主観評価結果９４７は、主観評価結果９４７Ｌ，９４７Ｒの２つのグラフからなる。主観評価結果９４７のグラフの横軸は各評価語であり、グラフの縦軸は主観量である。主観評価結果９４７Ｌは被験者１が実験して得られた主観量であり、各折れ線は実験に用いた各音源の主観評価の結果を示している。主観評価結果９４７Ｒは被験者２が実験して得られた主観量であり、各折れ線は実験に用いた各音源の主観評価の結果を示している。このように、被験者ごとに主観量を対比して表示しているので、実験者や管理者は、一致点と相違点とを容易に把握することができる。
【００８７】
図３４は、ＳＤ法による実験結果を音源ごと被験者ごとの評価を重ね書きした図である。図３４に示すＳＤ法による実験結果は、図３のモードＭ２０の実験結果詳細にて表示される。
主観評価結果９４８は、主観評価結果９４８Ｌ，９４８Ｒの２つのグラフからなる。主観評価結果９４８のグラフの横軸は各評価語であり、グラフの縦軸は主観量である。主観評価結果９４８Ｌは音源１に係る主観量を示し、主観評価結果９４８Ｒは音源２に係る主観量を示している。各折れ線は、各被験者による主観評価の結果を示している。
このように、音源ごとに被験者ごとの評価を重ね書きしているので、実験者や管理者は、音源ごとや被験者ごとの一致点と相違点とを容易に把握することができる。
【００８８】
図３５は、ＳＤ法による実験結果を被験者ごとに評価語ごとの評価を重ね書きして比較した図である。図３５に示すＳＤ法による実験結果は、図３のモードＭ２０の実験結果詳細にて表示される。
主観評価結果９４９は、主観評価結果９４９Ｌ，９４９Ｒの２つのグラフからなる。主観評価結果９４９のグラフの縦軸は主観量を示し、横軸は各音源を示している。各折れ線は、各評価語に係る主観量を示している。主観評価結果９４９Ｌは被験者１による主観量を示し、主観評価結果９４９Ｒは被験者２による主観量を示している。
被験者ごとに評価語ごとの評価を重ね書きしているので、実験者や管理者は、被験者ごとや評価語ごとの一致点と相違点を容易に把握することができる。
【００８９】
図３６は、ＳＤ法による実験結果を評価語ごとに被験者ごとの重ね書きを行って比較した図である。図３５に示すＳＤ法による実験結果は、図３のモードＭ２０の実験結果詳細にて表示される。
主観評価結果９４０のグラフの縦軸は主観量を示し、３のときに最も力強く評価され、−３のときに最も弱々しく評価されたことを示している。グラフの横軸は各音源を示している。それぞれの線は各被験者を示している。これにより、実験者や管理者は、各被験者の各音源に係る主観量の一致点と相違点を容易に把握することができる。例えば図３６において、被験者１，２，６は、同様な傾向の主観評価をしている。これに対して被験者３，５は、被験者１，２，６とは真逆な傾向の主観評価をしていることが読み取れる。
【００９０】
図３７は、ＳＤ法による実験結果を主成分分析した図である。図３７に示す主成分分析結果８２は、図３のモードＭ２１の多変量解析にて表示される。
主成分分析とは、相関のある多数の変数から、相関のない少数で全体のばらつきを最もよく表す主成分と呼ばれる変数を合成する手法である。主成分分析結果８２は、各評価語の主観評価から主成分１と主成分２を合成し、主成分１を横軸とし、主成分２を縦軸とする平面上のベクトルとして各評価語を示している。このように、二次元空間に各評価語とその分散を配置することで、各評価語の主観評価結果を可視化することができる。
【００９１】
図３８は、ＳＤ法による実験結果をクラスター分析した図である。図３８に示すクラスター分析結果８３は、図３のモードＭ２１の多変量解析にて表示される。
ここでは各評価語を主観量の結合レベルに応じて結合または切断して、クラスター分析を行っている。クラスター分析結果８３により、各評価語の結合レベル（非類似度）を容易に可視化することができる。
【００９２】
（変形例）
本発明は、上記実施形態に限定されることなく、本発明の趣旨を逸脱しない範囲で、変更実施が可能であり、例えば、次の（ａ）〜（ｄ）のようなものがある。
【００９３】
（ａ）  音源をクラウドサーバ１にアップロードするのは外部装置２に限定されない。ＰＣ３やタブレット端末４が、音源をクラウドサーバ１にアップロードしてもよい。
（ｂ）  聴感実験を行う端末と、実験結果を閲覧する端末は異なっていてもよく、限定されない。
（ｃ）  聴感実験の種類は、実施形態に示したものに限定されず、任意の主観評価実験を実行してよい。
（ｄ）  上記実施形態において聴感実験の内容に用いられている音源（ドア閉め音など）、評価段階（５段階など）、評価語（大きい、強い、など／数が５組、など）、はいずれも一例であり、これ以外のものであってもよい。
【符号の説明】
【００９４】
１  クラウドサーバ  （聴感実験サーバ）
１１  ＣＰＵ  （制御手段）
１２  ＲＯＭ
１３  ＲＡＭ
１４  記憶部  （記憶手段）
１４１  聴感実験ツール
１４２  音源
１４３  主観量
１４４  物理量
１４５  関係性情報
１４６  被験者情報
１５  通信部
２  外部装置  （端末の一例）
２１  ＣＰＵ
２２  ＲＯＭ
２３  ＲＡＭ
２４  メモリ
２５  入力部
２６  インタフェース
３  ＰＣ  （端末の一例）
４  タブレット端末  （端末の一例）
４１  ＣＰＵ
４２  ＲＯＭ
４３  ＲＡＭ
４４  メモリ
４４１  ブラウザプログラム
４５  タッチパネルディスプレイ
４６  内蔵スピーカ
４７  内蔵マイク
４８  通信部
４９  インタフェース
５ａ〜５ｃ  マイク
６ａ〜６ｃ  ヘッドフォン
７０  実験選択画面
７００〜７０６  選択肢
７１  実験説明画面
７１１  デモ再生ボタン
７１２  練習開始ボタン
７１３  本番開始ボタン
７２  調整法実験画面
７２０  再生ボタン
７２１  基準音スライダ
７２２  評価音スライダ
７２３  完了ボタン
７３ａ  極限法実験画面
７３０  再生ボタン
７３１  「大きい」ボタン
７３２  「等しい」ボタン
７３３  「小さい」ボタン
７３４  完了ボタン
７３ｂ  恒常法実験画面
７３０  再生ボタン
７３１  「大きい」ボタン
７３２  「等しい」ボタン
７３３  「小さい」ボタン
７３４  完了ボタン
７４  ＭＥ法実験画面
７４０  再生ボタン
７４１  数値入力ボックス
７４２  完了ボタン
７５  評定尺度法実験画面
７５０  再生ボタン
７５１  カテゴリー選択
７５２  完了ボタン
７６  一対比較法実験画面
７６０  再生ボタン
７６１  「かなり」ボタン
７６２  「やや」ボタン
７６３  「どちらとも」ボタン
７６４  「やや」ボタン
７６５  「かなり」ボタン
７６６  完了ボタン
７７  ＳＤ法実験画面
７７０  再生ボタン
７７１〜７７５  ラジオボタン
７７６  「次へ」ボタン
８１，８１Ｌ，８１Ｒ  グラフ
８２  主成分分析結果
８３  クラスター分析結果
８７  実験結果画面
８７１  主観量表示
８７２  主観量選択
８７３  「参考：データ比較」ボタン
８７４  「参考：全データ」ボタン
７８  カテゴリー連続判断法実験画面
７８０  再生ボタン
７８１  「非常に大きい」ボタン
７８２  「大きい」ボタン
７８３  「やや大きい」ボタン
７８４  「どちらでもない」ボタン
７８５  「やや小さい」ボタン
７８６  「小さい」ボタン
７８７  「非常に小さい」ボタン
７８８  完了ボタン
７８Ａ  線分調整法実験画面
７８１Ａ  「長く」ボタン
７８２Ａ  「短く」ボタン
７８８Ａ  完了ボタン
７８９  線分
８８  実験結果画面
８８１  時系列グラフ
８８２  音圧レベルスイッチ
８８３  カテゴリー値スイッチ
７９  評価グリッド法実験画面
７９１  領域
７９２  カード
７９３  音再生マーク
７９９  「次へ」ボタン
８９  実験結果画面
８９１  上位概念
８９２  中位概念
８９３  下位概念
９１，９２  相関係数テーブル
９３  再現性確認データ
９４１  累積・ヒストグラム
９４２，９４３  平均・標準偏差
９４４  実験結果比較
９４５，９４７，９４７Ｌ，９４７Ｒ，９４８，９４８Ｌ，９４８Ｒ，９４９，９４９Ｌ，９４９Ｒ，９４０  主観評価結果
９４６  ヒストグラム
【図１】
2020101411.tif 000003
【図２】
2020101411.tif 000004
【図３】
2020101411.tif 000005
【図４】
2020101411.tif 000006
【図５】
2020101411.tif 000007
【図６】
2020101411.tif 000008
【図７】
2020101411.tif 000009
【図８】
2020101411.tif 000010
【図９】
2020101411.tif 000011
【図１０】
2020101411.tif 000012
【図１１】
2020101411.tif 000013
【図１２】
2020101411.tif 000014
【図１３】
2020101411.tif 000015
【図１４Ａ】
2020101411.tif 000016
【図１４Ｂ】
2020101411.tif 000017
【図１５】
2020101411.tif 000018
【図１６】
2020101411.tif 000019
【図１７】
2020101411.tif 000020
【図１８】
2020101411.tif 000021
【図１９】
2020101411.tif 000022
【図２０Ａ】
2020101411.tif 000023
【図２０Ｂ】
2020101411.tif 000024
【図２１Ａ】
2020101411.tif 000025
【図２１Ｂ】
2020101411.tif 000026
【図２２】
2020101411.tif 000027
【図２３】
2020101411.tif 000028
【図２４】
2020101411.tif 000029
【図２５】
2020101411.tif 000030
【図２６】
2020101411.tif 000031
【図２７】
2020101411.tif 000032
【図２８】
2020101411.tif 000033
【図２９】
2020101411.tif 000034
【図３０】
2020101411.tif 000035
【図３１】
2020101411.tif 000036
【図３２】
2020101411.tif 000037
【図３３】
2020101411.tif 000038
【図３４】
2020101411.tif 000039
【図３５】
2020101411.tif 000040
【図３６】
2020101411.tif 000041
【図３７】
2020101411.tif 000042
【図３８】
2020101411.tif 000043